(57)【要約】【課題】幼児向けの靴下や靴が容易に脱げないようにすることができる脱げ防止具を提供する。【解決手段】足首部に巻き付け装着する伸縮自在な上部バンド２と、足の土踏まず部位から足の甲部に亘って巻き付け装着する伸縮自在な下部バンド３とを、足の甲部側においてぬいぐるみなどで構成した連結材４で連結してある。【選択図】        図２
2004162235.tif 000002
【特許請求の範囲】
【請求項１】
足首部に装着する上部バンドと、足の土踏まず部位から足の甲部に亘って装着する下部バンドとを連結してあることを特徴とする靴下等の脱げ防止具。
【請求項２】
前記上部バンドと前記下部バンドとを、足の甲部側で連結するとともに、前記両バンドをそれぞれ伸縮自在なリング状バンドで構成してある請求項１記載の靴下等の脱げ防止具。
【請求項３】
前記下部バンドにおける足底対向面に滑り止め部を設けてある請求項１または２記載の靴下等の脱げ防止具。
【請求項４】
上部バンドと下部バンドとを、ぬいぐるみ等からなる連結材を介して連結してある請求項１〜３のいずれかに記載の靴下等の脱げ防止具。
【発明の詳細な説明】
【０００１】
【発明の属する技術分野】
本発明は、主として幼児に履かせた靴下や靴が脱げ落ちて紛失するのを防止するための脱げ防止具に関する。
【０００２】
【従来の技術】
従来、靴下のずり落ちを防止する手段としては、例えば、足を挿入する上端開口部近くに、２段の糸ゴム編み込み領域を適当な上下間隔をあけて設けることで、各糸ゴム編み込み領域での締め付け力を比較的弱くして履き心地を良くしながらも効果的にずり落ちを防止し、また、必要に応じてくるぶし部にも糸ゴム編み込み領域を設けて更にずり落ち防止機能を高めようとした手段が提案されている（特許文献１参照）。
【０００３】
【特許文献１】
特開平１０−２１９５０３号公報
【０００４】
【発明が解決しようとする課題】
上記従来手段は、糸ゴム編み込み領域に弱いといえどもある程度強い締め付け力を持たすことのできる子供向けあるいは成人向けの靴下において所期の機能を発揮させることができるのであるが、締め付け力を極力弱くしておきたい幼児向けの靴下、特に短いソックスにおいては、ずり落ち防止機能を十分に発揮させることが難しく、親が目を離した知らない間に脱げ落ちて紛失してしまうようなことがあった。
【０００５】
本発明は、このような実情に着目してなされたものであって、主として幼児向けの靴下等が容易に脱げないようにすることができる脱げ防止具を提供することを目的とするものである。
【０００６】
【課題を解決するための手段】
本発明では、上記目的を達成するために、次のように構成している。
【０００７】
すなわち、請求項１に係る発明の靴下等の脱げ防止具は、足首部に装着する上部バンドと、足の土踏まず部位から足の甲部に亘って装着する下部バンドとを連結している。
【０００８】
この構成によると、足の土踏まず部位から足の甲部に亘って靴下や靴を介して装着された下部バンドが靴下や靴と共に脱げ出し方向に移動しようとしても、下部バンドは、足首部に装着されて移動が阻止された上部バンドに繋がっているので、下部バンドは足から外れることはなく、この下部バンドが装着された靴下や靴の脱げが阻止される。
【０００９】
請求項２に係る発明の靴下等の脱げ防止具は、請求項１の発明において、前記上部バンドと前記下部バンドとを、足の甲部側で連結するとともに、前記両バンドをそれぞれ伸縮自在なリング状バンドで構成している。
【００１０】
この構成によると、上部バンドおよび下部バンドを引き伸ばすだけで所定の位置に装着することができる。
【００１１】
請求項３に係る発明の靴下等の脱げ防止具は、請求項１または２の発明において、前記下部バンドにおける足底対向面に滑り止め部を設けてある。
【００１２】
この構成によると、靴下や靴と下部バンドとのすれ動きが抑制され、靴下や靴だけが下部バンドからすり抜けて動くことが防止される。
【００１３】
請求項４に係る発明の靴下等の脱げ防止具は、請求項１〜３のいずれかの発明において、上部バンドと下部バンドとをぬいぐるみ等からなる連結材を介して連結してあるものである。
【００１４】
この構成によると、幼児の好きなキャラクタのぬいぐるみ等が足の甲のところに見えることになり、幼児に嫌がられることなく装着することができる。
【００１５】
【発明の実施の形態】
以下、本発明の実施の態様のいくつかを図面に基づいて説明する。
【００１６】
（実施の形態１）
図１および図２に、本発明に係る脱げ防止具が示されている。この脱げ防止具１は、幼児に履かせた靴下の脱げ防止用に構成されたものであり、上部バンド２と下部バンド３とを連結材４で連結した構造となっている。
【００１７】
上部バンド２および下部バンド３は、それぞれ糸ゴムが編み込まれた伸縮自在な布製のリング状バンドで構成されており、図２に示すように、上部バンド２は、履かれた靴下５の上から足首部に巻き付くように足を挿入して装着されるとともに、下部バンド３は、土踏まず部位から足の甲部に亘って巻き付くように足を挿入して装着される。
【００１８】
また、連結材４には、幼児が喜ぶキャラクタのぬいぐるみなどの飾り材が用いられ、この連結材４が足の甲部側に位置するように脱げ防止具１が装着される。
【００１９】
ここで、下部バンド３における足底対向面には、面ファスナの一方（かぎ付き突起群が植設された側）などを用いた滑り止め６が付設されており、下部バンド３と靴下５との相対ずれ動きが抑制されるようになっている。
【００２０】
以上のように構成された脱げ防止具１によると、靴下５が脱げ出し方向にずれかかって、下部バンド３が靴下５と一緒に動かされようとしても、足首部に巻き付けた上部バンド２に繋がっている下部バンド３は脱げ方向への動きが阻止され、もって靴下の脱げ出しが阻止される。
【００２１】
（実施の形態２）
図３および図４に、本発明に係る脱げ防止具の他の例が示されている。この脱げ防止具１は、幼児に履かせた靴７の脱げ防止用に構成されたものであり、基本的には先例と同様に、足首部に装着される上部バンド２と、土踏まず部位から足の甲部に亘って靴の上から装着される下部バンド３とをぬいぐるみで構成した連結材４で連結した構造となっている。また、この例では、上部バンド２と下部バンド３が、複数個設けられたボタン孔８へのボタン９の掛け位置選択によって巻き付け長さが調節できる伸縮性の平バンドから構成されており、靴７の大きさに対応できようになっている。
【００２２】
このように構成された脱げ防止具１によると、足首部に巻き付けた上部バンド２に繋がっている下部バンド３は足から外れることはなく、この下部バンド３が巻き付け装着された靴７の脱げが確実に阻止される。
【００２３】
なお、本発明は、以下のような形態で実施することもできる。
【００２４】
（１）図５に示すように、上部バンド２および下部バンド３を開閉可能、かつ、面ファスナ１０ａ，１０ｂによって任意の巻きつけ位置で連結できるように構成すれば、靴下あるいは靴を履いたあとから容易に装着することができるとともに、サイズの大きさに対応することができて一層便利に使用することができる。
【００２５】
（２）図６に示すように、上部バンド２と下部バンド３とを単なる平バンドからなる連結材４で連結するとともに、この連結材４の前面に、各種キャラクタのぬいぐるみやアップリケなどの飾り物１１をホック１２ａ，１２ｂあるいは面ファスナなどの連結具で脱着可能に取り付けるように構成して実施することもできる。これによると、必要に応じて飾り物１１を新しい別のものに付け替えて、幼児に飽きさせることなく使用することができる。
【００２６】
（３）本発明の脱げ防止具は主として幼児用に創案されたものであるが、下肢の不自由な人や足首を自由に動かせない人が利用できるようにサイズアップして実施することもできる。この場合、上部バンド２、下部バンド３、および、平バンドからなる連結材４に種々の着色あるいはデザイン模様などを施した素材を用いて、アクセサリ的な感覚で利用できるようにするとよい。
【００２７】
【発明の効果】
以上の説明から明らかなように、本発明によれば以下に示すような効果が期待できる。
【００２８】
請求項１に係る発明によれば、足首に装着した上部バンドで脱げ防止具を固定した上で、この上部バンドに繋がった下部バンドで靴下や靴の脱げを阻止するようにしたので、上部バンドを強く締め付ける必要はなく、足に圧迫をかけることなく靴下や靴の脱げを確実に防止することができる。
【００２９】
請求項２に係る発明によれば、脱ぎ防止具の脱着を簡単に行うことができる。
【００３０】
請求項３に係る発明によれば、下部バンドと靴下や靴とのずれ動きが確実に抑制され、脱げ防止機能が一層高いものとなる。
【００３１】
請求項４に係る発明によれば、幼児に窮屈がらせることなく興味をもって使用させることができる。
【図面の簡単な説明】
【図１】本発明の脱げ防止具を示す斜視図である。
【図２】図１の脱げ防止具の使用状態を示す斜視図である。
【図３】他の実施の形態の脱げ防止具を示す斜視図である。
【図４】図３の脱げ防止具の使用状態を示す斜視図である。
【図５】他の実施形態を示す斜視図である。
【図６】更に別の別実施形態を示す斜視図である。
【符号の説明】
２            上部バンド
３            下部バンド
４            連結材
６            滑り止め部
【図１】
2004162235.tif 000003
【図２】
2004162235.tif 000004
【図３】
2004162235.tif 000005
【図４】
2004162235.tif 000006
【図５】
2004162235.tif 000007
【図６】
2004162235.tif 000008